(57)【要約】本発明の実施形態による、システムおよび方法は、コンテンツデコーディングのために、衛星信号を中間周波数信号に変換するステップと、デジタル信号処理を使用して、コンテンツデコーディングのために、衛星信号内の変調されたデジタルデータを選択するステップとを含む。一実施形態は、搬送波上に変調された複数のコンテンツチャネルを含む入力信号から少なくとも１つのコンテンツチャネルを選択するように構成されるシステムを含み、このシステムは、搬送波上に変調された複数のコンテンツチャネルを備える入力信号を受信するように構成される入力と、複数のコンテンツチャネルを中間周波数信号にダウン変換するように構成されるミキサと、中間周波数信号をデジタル化するように構成される高速アナログ／デジタルコンバータを含むデジタルチャネライザスイッチと、デジタルチャネライザと、高速デジタル／アナログコンバータとを含む。
2014507885.tif 000002
【特許請求の範囲】
【請求項１】
搬送波上に変調された複数のコンテンツチャネルを備える入力信号から、少なくとも１つのコンテンツチャネルを選択するように構成されるシステムであって、
該システムは、
搬送波上に変調された複数のコンテンツチャネルを備える入力信号を受信するように構成される入力と、
該複数のコンテンツチャネルを中間周波数信号にダウン変換するように構成されるミキサと、
デジタルチャネライザスイッチであって、該デジタルチャネライザスイッチは、
該中間周波数信号をデジタル化するように構成される高速アナログ／デジタルコンバータ
を備える、デジタルチャネライザスイッチと、
該デジタル化された中間周波数信号からのコンテンツチャネルをデジタル的に同調させるように構成されるデジタルチャネライザと、
該デジタルチャネライザによって該デジタル化された中間周波数信号からデジタル的に同調された該コンテンツチャネルを使用して、アナログ出力信号を生成するように構成される高速デジタル／アナログコンバータと
を備える、システム。
【請求項２】
前記ミキサは、局部発振器を備える、請求項１に記載のシステム。
【請求項３】
前記コンテンツチャネルは、デジタルコンテンツチャネルを備える、請求項１に記載のシステム。
【請求項４】
前記コンテンツチャネルは、アナログコンテンツチャネルを備える、請求項１に記載のシステム。
【請求項５】
前記入力信号の周波数は、１０．７ＧＨｚ〜１２．７５ＧＨｚの範囲内にある、請求項１に記載のシステム。
【請求項６】
前記中間周波数信号の周波数は、０．２ＧＨｚ〜２．２５ＧＨｚの範囲内にある、請求項１に記載のシステム。
【請求項７】
前記アナログ出力信号の周波数は、９５０ＭＨｚ〜２１５０ＭＨｚの範囲内にある、請求項１に記載のシステム。
【請求項８】
前記アナログ出力信号の周波数は、９５０ＭＨｚ〜１４５０ＭＨｚの範囲内にある、請求項１に記載のシステム。
【請求項９】
前記高速アナログ／デジタルコンバータは、前記中間周波数信号の最高周波数の少なくとも２倍の周波数で該中間周波数信号をサンプリングするように構成される、請求項１に記載のシステム。
【請求項１０】
複数の入力信号から少なくとも１つのコンテンツチャネルを選択するように構成されるシステムであって、各入力信号は、搬送波上に変調された複数のコンテンツチャネルを備え、
該システムは、
複数の入力であって、該複数の入力の各々は、搬送波上に変調された複数のコンテンツチャネルを備える入力信号を受信するように構成される、複数の入力と、
複数のミキサであって、各ミキサは、入力に接続され、該コンテンツチャネルを中間周波数信号にダウン変換するように構成される、複数のミキサと、
デジタルチャネライザスイッチと
を備え、
該デジタルチャネライザスイッチは、
複数の高速アナログ／デジタルコンバータであって、各高速アナログ／デジタルコンバータは、該ミキサのうちの１つによって生成される中間周波数信号をデジタル化するように構成される、複数の高速アナログ／デジタルコンバータと
複数のデジタルチャネライザであって、各デジタルチャネライザは、該高速アナログ／デジタルコンバータのうちの１つによって生成されるデジタル化された中間周波数信号からのコンテンツチャネルをデジタル的に同調させるように構成される、複数のデジタルチャネライザと、
該複数のデジタルチャネライザへの入力として、該複数の高速アナログ／デジタルコンバータによって生成されるデジタル化された中間周波数信号を選択するように構成されるマルチプレクサと、
少なくとも１つの高速デジタル／アナログコンバータであって、各高速デジタル／アナログコンバータは、コンテンツチャネルを使用してアナログ出力信号を生成するように構成され、該コンテンツチャネルは、デジタルチャネライザによって該少なくとも１つのデジタル化された中間周波数信号のうちの１つからデジタル的に同調される、少なくとも１つの高速デジタル／アナログコンバータと
を備える、システム
【請求項１１】
前記デジタルチャネライザスイッチは、コモンコンバイナと、前記少なくとも１つの高速デジタル／アナログコンバータのうちの１つとをさらに備え、
該コモンコンバイナは、前記複数のデジタルチャネライザによって、前記デジタル化された中間周波数信号のうちの少なくとも１つからデジタル的に同調された複数のコンテンツチャネルをデジタル的にコンバインするように構成され、
該少なくとも１つの高速デジタル／アナログコンバータのうちの１つは、該コモンコンバイナの出力を使用して、アナログ出力信号を生成する、
請求項１０に記載のシステム。
【請求項１２】
前記ミキサは、局部発振器を備える、請求項１０に記載のシステム。
【請求項１３】
前記コンテンツチャネルは、デジタルコンテンツチャネルを備える、請求項１０に記載のシステム。
【請求項１４】
前記コンテンツチャネルは、アナログコンテンツチャネルを備える、請求項１０に記載のシステム。
【請求項１５】
前記入力信号の周波数は、１０．７ＧＨｚ〜１２．７５ＧＨｚの範囲内にある、請求項１０に記載のシステム。
【請求項１６】
前記中間周波数信号の周波数は、０．２ＧＨｚ〜２．２５ＧＨｚの範囲内にある、請求項１０に記載のシステム。
【請求項１７】
前記アナログ出力信号の周波数は、９５０ＭＨｚ〜２１５０ＭＨｚの範囲内にある、請求項１０に記載のシステム。
【請求項１８】
前記アナログ出力信号の周波数は、９５０ＭＨｚ〜１４５０ＭＨｚの範囲内にある、請求項１０に記載のシステム。
【請求項１９】
前記高速アナログ／デジタルコンバータは、前記中間周波数信号の最高周波数の少なくとも２倍の周波数で該中間周波数信号をサンプリングするように構成される、請求項１０に記載のシステム。
【請求項２０】
少なくとも１つの入力信号から少なくとも１つのコンテンツチャネルを選択する方法であって、各入力信号は、搬送波上に変調された複数のコンテンツチャネルを備え、
該方法は、
少なくとも１つの入力信号を受信することであって、各入力信号は、搬送波上に変調された複数のコンテンツチャネルを備える、ことと、
少なくとも１つのミキサを使用して、該少なくとも１つの入力信号の各々の上の該複数のコンテンツチャネルを中間周波数信号にダウン変換することと、
少なくとも１つの高速アナログ／デジタルコンバータを使用して、該中間周波数信号の各々をデジタル化することと、
少なくとも１つのデジタルチャネライザを使用して、該少なくとも１つのデジタル化された中間周波数信号からの少なくとも１つのコンテンツチャネルをデジタル的に同調させることと、
少なくとも１つのデジタル／アナログコンバータを使用して、デジタル化された中間周波数信号からデジタル的に同調された少なくとも１つのデジタルコンテンツチャネルから、少なくとも１つのアナログ出力信号を生成することと
を含む、方法。
【発明の詳細な説明】
【技術分野】
【０００１】
本発明は、コンテンツデコーディングのための中間周波数（ＩＦ）への衛星信号の変換と、コンテンツデコーディングのための衛星信号内のデータの選択に関する。
【背景技術】
【０００２】
コンテンツは、デコーディングおよび再生のために、地球同期衛星通信ネットワークによってユーザに伝送され得る。一般的な衛星ダウンロードリンクのシステム略図が、図１に図示される。衛星ダウンリンク１００は、低雑音ブロックコンバータ（ＬＮＢ）１０４に接続された衛星アンテナ１０２を含む。ＬＮＢは、衛星受信機／デコーダ１０６に接続される。衛星は、搬送波上に変調されたコンテンツチャネルを含む信号を伝送することができる。コンテンツチャネルは、アナログコンテンツチャネルまたはデジタルコンテンツチャネルであることができる。多くのシステムでは、データは、異なる偏波を使用して、同一の搬送波上に変調される。デジタルコンテンツチャネルが、搬送波上に変調されると、搬送波上に変調されたデジタルデータは、複数のデジタルコンテンツチャネルを含むことができ、それぞれ、一般的には、少なくとも１つのビデオおよび／またはオーディオストリームを含む。
【０００３】
多くの事例では、信号を含有する複数のコンテンツチャネルは、アップリンク設備から衛星ネットワークに伝送される。衛星上のトランスポンダは、次いで、いくつかの衛星アンテナ１０２によって受信されることができる信号を伝送する。受信された信号は、次いで、信号を中間周波数（ＩＦ）にダウン変換するＬＮＢ１０４にパスされる。最後に、ＩＦ信号は、セットトップボックス等の衛星受信機／デコーダ１０６にパスされ、コンテンツを含有する信号は、再生のために、復調およびデコードされる（すなわち、オーディオおよび／またはビデオ）。
【０００４】
このように、比較的に高周波数の衛星信号として、通常、マイクロ波信号として伝送される情報は、デコーディングデバイスの電子機器および／またはＬＮＢを衛星受信機／デコーダに接続するために使用されるケーブル配線と互換性がある、通常、中間周波数（ＩＦ）として知られる遥かに低い周波数において、類似信号に変換され得る。コンテンツチャネルは、ＩＦ信号内の搬送波周波数上に変調されるデジタルデータである。ユーザは、次いで、デコーディングおよび使用のために、ＩＦ信号として選択されたコンテンツチャネルを受信し得る。衛星通信信号のダウン変換における種々の段階の間の信号の周波数スペクトルの表現は、図２Ａ、２Ｂおよび２Ｃに図示される。
【０００５】
無線周波数（ＲＦ）信号は、一般的には、高周波数において、衛星によって受信機に伝送される。ダウンリンクのための一般的な衛星無線周波数（ＲＦ）信号は、図２Ａに図示される。図示されるように、信号は、１１ＧＨｚ〜１２ＧＨｚに及ぶ高周波数で伝送される。衛星信号受信機によって受信されるときの衛星信号は、通常、伝送の間、遠距離を進行した後に弱まるが、比較的に高周波数である。信号が、同軸ケーブルを通して送信されるとき、周波数が高いほど、長さ単位あたりのケーブル内で生じる損失が大きくなる。
【０００６】
ＬＮＢは、これらの高周波数信号をより低く、およびより管理可能な周波数に増幅および変換するために使用されてもよい。ＬＮＢによって処理される衛星信号の周波数スペクトルは、図２Ｂおよび２Ｃに図示される。欧州では、ＬＮＢ処理信号の周波数スペクトルは、９５０ＭＨｚ〜２１５０ＭＨｚであり得る（図２Ｂ参照）。米国（Ｕ．Ｓ．）では、ＬＮＢ処理信号の周波数スペクトルは、９５０ＭＨｚ〜１４５０ＭＨｚであり得る（図２Ｃ参照）。
【０００７】
衛星から受信されたコンテンツを含有する信号は、一般的には、搬送波信号の周波数帯域内に複数のコンテンツチャネルを含む。一般的なＬＮＢによって処理されたＩＦ信号によって搬送される、エンコードされたデジタルデータのチャネルの搬送波周波数についての一般的周波数スペクトルが図２Ｄに図示される。ここでは、周波数帯域は、９５０ＭＨｚ〜２１５０ＭＨｚまたは１４５０ＭＨｚに及び、この周波数帯域内に、複数の３６／５５ＭＨｚコンテンツチャネルが存在する。ユーザが、選択された媒体をデコードするためには、Ｌ帯域チューナが、所望のチャネルを選択するために使用されてもよい。例えば、ある搬送波周波数が選択されてもよく、その場合、３６／５５ＭＨｚ帯域がユーザによって使用するための受信機／デコーダに転送されてもよい。
【０００８】
ＬＮＢは、多くの異なるＬＮＢアーキテクチャを使用して、多くの方法で実装することができる。図３は、二重出力を有する一般的汎用ＬＮＢアーキテクチャの略図を図示する。このアーキテクチャでは、ＬＮＢは、衛星から２つのＲＦ入力信号を受信する。一方の信号は、垂直偏波アンテナ３０２用であり、他方は、水平偏波アンテナ３０４用である。例えば、両信号の周波数帯域は、１０．７〜１２．７５ＧＨｚであってもよい。ＬＮＢは、最初に、２つのバンドパスフィルタによって、信号を２つの帯域、低帯域３０６（１０．７〜１１．７ＧＨｚ）および高帯域３０８（１１．７〜１２．７５ＧＨｚ）に分離する。低帯域信号は、９．７５ＧＨｚにおいて、局部発振器（ＬＯ）３１０によって、９５０〜１９５０ＭＨｚにダウンミックスされる。ＬＯは、ＬＮＢ内で使用される周波数であり、衛星信号の周波数、またはトランスポンダ周波数をより低い周波数帯域にブロック変換する。高帯域信号は、１０．６ＧＨｚにおいて、ＬＯ３１２によって１１００〜２１５０ＭＨｚにダウンミックスされる。出力信号は、デコードデバイスからの特定のチャネルの要求に応答して、４：２マルチプレクサ３１４によって、４つのダウン変換されたＬ帯域信号から選択される。図３に図示される汎用ＬＮＢを使用して、視聴者は、随時、１ＧＨｚＬ帯域チャネルのうちの２つ上のコンテンツにのみ同調することができる。ユーザが、他の２つの１ＧＨｚＬ帯域チャネルのうちの１つからのコンテンツを視聴するためには、付加的なケーブルが要求される。
【０００９】
単一ケーブルＬＮＢアーキテクチャは、ＬＮＢによって発生される１ＧＨｚＬ帯域信号の全４つからのコンテンツを提供することができるシステムを提供する際に、含まれるケーブル配線の量を削減するために開発された。１つのケーブルにおいて、最大４つの衛星コンテンツチャネルをサポートする一般的な単一ケーブルＬＮＢ設計の略図が、図４に図示されている。図示される単一ケーブルＬＮＢアーキテクチャにおいて、ＬＮＢは、図３と同様の様式において、衛星から２つのＲＦ入力信号を受信する。一方は、垂直偏波アンテナ４０２用であり、他方は、水平偏波アンテナ４０４用である。多くのシステムにおいて、両信号の周波数帯域は、１０．７〜１２．７５ＧＨｚであり得る。ＬＮＢは、最初に、２つのバンドパスフィルタによって、信号を２つの帯域、低帯域４０６（１０．７〜１１．７ＧＨｚ）および高帯域４０８（１１．７〜１２．７５ＧＨｚ）に分離する。低帯域信号は、９．７５ＧＨｚにおいて、ＬＯ４１０によって、９５０〜１９５０ＭＨｚにダウンミックスされる。高帯域信号は、１０．６ＧＨｚにおいて、ＬＯ４１２によって、１１００〜２１５０ＭＨｚにダウンミックスされる。これら４つのＬ帯域信号からの４つのコンテンツチャネル（すなわち、特定の搬送波周波数上に変調されたデジタルデータを含有するＬ帯域信号内のチャネル）は、マルチプレクサ４１４によって選択され、４つのミキサを使用して、４つの新しい搬送波周波数にミックスされる。次いで、４つの表面音響波（ＳＡＷ）フィルタ４１６を使用して、帯域内の非選択チャネルを除去する。
【発明の概要】
【課題を解決するための手段】
【００１０】
本発明の実施形態による、システムおよび方法は、コンテンツデコーディングのために、衛星信号をＩＦ周波数信号に変換するステップと、デジタル信号処理を使用して、コンテンツデコーディングのために、衛星信号内の変調されたデジタルデータを選択するステップとを含む。一実施形態は、搬送波上に変調された複数のコンテンツチャネルを含む、入力信号から、少なくとも１つのコンテンツチャネルを選択するように構成される、システムであって、搬送波上に変調された複数のコンテンツチャネルを備える、入力信号を受信するように構成される、入力と、複数のコンテンツチャネルを中間周波数信号にダウン変換するように構成される、ミキサと、中間周波数信号をデジタル化するように構成される、高速アナログ／デジタルコンバータを含む、デジタルチャネライザスイッチと、デジタル化された中間周波数信号からのコンテンツチャネルをデジタル的に同調させるように構成される、デジタルチャネライザと、デジタルチャネライザによって、デジタル化された中間周波数信号からデジタル的に同調されたコンテンツチャネルを使用して、アナログ出力信号を生成するように構成される、高速デジタル／アナログコンバータとを含む、システムを含む。
【００１１】
さらなる実施形態では、ミキサは、局部発振器を含む。
【００１２】
別の実施形態では、コンテンツチャネルは、デジタルコンテンツチャネルを含む。
【００１３】
なおもさらなる実施形態では、コンテンツチャネルは、アナログコンテンツチャネルを含む。
【００１４】
なおも別の実施形態では、入力信号の周波数は、１０．７ＧＨｚ〜１２．７５ＧＨｚの範囲内にある。
【００１５】
なおもさらなる実施形態では、中間周波数信号の周波数は、０．２ＧＨｚ〜２．２５ＧＨｚの範囲内にある。
【００１６】
さらに別の実施形態では、アナログ出力信号の周波数は、９５０ＭＨｚ〜２１５０ＭＨｚの範囲内にある。
【００１７】
さらなる実施形態ではまた、アナログ出力信号の周波数は、９５０ＭＨｚ〜１４５０ＭＨｚの範囲内にある。
【００１８】
別の実施形態ではまた、高速アナログ／デジタルコンバータは、中間周波数信号の最高周波数の少なくとも２倍の周波数において、中間周波数信号をサンプリングするように構成される。
【００１９】
さらに付加的実施形態は、複数の入力信号から少なくとも１つのコンテンツチャネルを選択するように構成されるシステムであって、各入力信号は、搬送波上に変調された複数のコンテンツチャネルを含み、複数の入力であって、それぞれ、搬送波上に変調された複数のコンテンツチャネルを含む入力信号を受信するように構成される、複数の入力と、複数のミキサであって、それぞれ、入力に接続され、コンテンツチャネルを中間周波数信号にダウン変換するように構成される、ミキサと、複数の高速アナログ／デジタルコンバータであって、それぞれ、ミキサのうちの１つによって生成される中間周波数信号をデジタル化するように構成される、高速アナログ／デジタルコンバータを含む、デジタルチャネライザスイッチと、複数のデジタルチャネライザであって、それぞれ、高速アナログ／デジタルコンバータのうちの１つによって生成される、デジタル化された中間周波数信号からのコンテンツチャネルをデジタル的に同調させるように構成される、デジタルチャネライザと、複数のデジタルチャネライザへの入力として、複数の高速アナログ／デジタルコンバータによって生成される、デジタル化された中間周波数信号を選択するように構成される、マルチプレクサと、少なくとも１つの高速デジタル／アナログコンバータであって、それぞれ、少なくとも１つのデジタルチャネライザによってデジタル化された中間周波数信号のうちの１つからデジタル的に同調されたコンテンツチャネルを使用して、アナログ出力信号を生成するように構成される、高速デジタル／アナログコンバータとを含む、システムを含む。
【００２０】
別の付加的実施形態では、デジタルチャネライザスイッチはさらに、複数のデジタルチャネライザによってデジタル化された中間周波数信号のうちの少なくとも１つからデジタル的に同調された複数のコンテンツチャネルをデジタル的にコンバインするように構成されるコモン（ｃｏｍｍｏｎ）コンバイナを含み、少なくとも１つの高速デジタル／アナログコンバータのうちの１つは、コモンコンバイナの出力を使用して、アナログ出力信号を生成するように構成される。
【００２１】
なおもさらなる実施形態では、ミキサは、局部発振器を備える。
【００２２】
なおもさらに別の実施形態では、コンテンツチャネルは、デジタルコンテンツチャネルを備える。
【００２３】
なおもさらなる実施形態ではまた、コンテンツチャネルは、アナログコンテンツチャネルを備える。
【００２４】
なおも別の実施形態ではまた、入力信号の周波数は、１０．７ＧＨｚ〜１２．７５ＧＨｚの範囲内にある。
【００２５】
なおもさらなる付加的実施形態では、中間周波数信号の周波数は、０．２ＧＨｚ〜２．２５ＧＨｚの範囲内にある。
【００２６】
なおも別の付加的実施形態では、アナログ出力信号の周波数は、９５０ＭＨｚ〜２１５０ＭＨｚの範囲内にある。
【００２７】
なおもさらなる実施形態ではまた、アナログ出力信号の周波数は、９５０ＭＨｚ〜１４５０ＭＨｚの範囲内にある。
【００２８】
さらに別の実施形態ではまた、高速アナログ／デジタルコンバータは、中間周波数信号の最高周波数の少なくとも２倍の周波数において、中間周波数信号をサンプリングするように構成される。
【００２９】
なおもさらなる付加的実施形態は、少なくとも１つの入力信号から少なくとも１つのコンテンツチャネルを選択する方法であって、各入力信号は、搬送波上に変調された複数のコンテンツチャネルを含み、少なくとも１つの入力信号を受信するステップであって、各入力信号は、搬送波上に変調された複数のコンテンツチャネルを含む、ステップと、少なくとも１つのミキサを使用して、少なくとも１つの入力信号のそれぞれ上の複数のコンテンツチャネルを中間周波数信号にダウン変換するステップと、少なくとも１つの高速アナログ／デジタルコンバータを使用して、中間周波数信号のそれぞれをデジタル化するステップと、少なくとも１つのデジタルチャネライザを使用して、少なくとも１つのデジタル化された中間周波数信号からの少なくとも１つのコンテンツチャネルをデジタル的に同調させるステップと、少なくとも１つのデジタル／アナログコンバータを使用して、デジタル化された中間周波数信号からデジタル的に同調された少なくとも１つのデジタルコンテンツチャネルから、少なくとも１つのアナログ出力信号を生成するステップとを含む、方法を含む。
【図面の簡単な説明】
【００３０】
【図１】図１は、一般的衛星ダウンリンクのシステム略図を図示する。
【図２】図２Ａは、ダウンリンクのための一般的衛星無線周波数（ＲＦ）信号を図示する。図２Ｂは、欧州規格に準拠する、ＬＮＢによって処理されるときの衛星信号の周波数スペクトルを図示する。図２Ｃは、米国規格に準拠する、ＬＮＢによって処理されるときの衛星信号の周波数スペクトルを図示する。図２Ｄは、ＬＮＢによって生成されたＬ帯域ＩＦ信号内の複数のコンテンツチャネル上に変調されたデジタルデータのための一般的周波数スペクトルを図示する。
【図３】図３は、二重出力を有する、一般的汎用ＬＮＢアーキテクチャを図示する。
【図４】図４は、異なる周波数に再変調された最大４つのコンテンツチャネルを有する、出力信号を生成するように構成される、一般的単一ケーブルＬＮＢアーキテクチャを図示する。
【図５】図５は、本発明のある実施形態による、デジタルチャネライザスイッチを有する、単一ケーブルＬＮＢを図示する。
【図６】図６は、本発明のある実施形態による、デジタルチャネライザスイッチを含む、汎用ＬＮＢを図示する。
【図７】図７は、本発明のある実施形態による、４つのデジタルチャネライザを有する、デジタルチャネライザスイッチを含む、単一ケーブルＬＮＢを図示する。
【図８】図８は、本発明のある実施形態による、１２のデジタルチャネライザを有する、デジタルチャネライザスイッチを含む、単一ケーブルＬＮＢを図示する。
【図９】図９は、本発明のある実施形態における、複数のＲＦ入力、デジタルチャネライザ、および出力を有するデジタルチャネライザスイッチを図示する。
【図１０】図１０は、本発明のある実施形態による、複数の衛星ＲＦ入力、２４のチャネライザ、および単一出力を有するデジタルチャネライザスイッチを含む、ＬＮＢを図示する。
【図１１】図１１は、本発明のある実施形態による、任意の数のチャネルに対して単一入力を有するデジタルチャネライザスイッチを図示する。
【発明を実施するための形態】
【００３１】
次に、図面を参照すると、コンテンツデコーディングのために、衛星信号をＩＦ周波数信号に変換し、デジタル信号処理を使用するコンテンツデコーディングのために、衛星信号内の変調されたデジタルデータを選択するためのシステムおよび方法が、本発明の実施形態に従って開示される。種々の実施形態では、アナログ回路を利用して、ＩＦ信号を生成し、ＩＦ信号は、次いで、デジタル信号処理技法を使用して、衛星受信機／デコーダに提供するために、受信した衛星信号内の変調されたデジタルデータの選択を可能にするようにデジタル化される。いったん、デジタル信号処理を使用して選択が行われると、選択された変調デジタルデータは、ＬＮＢによってアナログ信号に逆変換され、出力される。いくつかの実施形態では、デジタルチャネライザスイッチのデジタルチャネライザを使用して、単一コンテンツチャネルのコンテンツ（すなわち、特定の搬送波周波数上の変調されたデジタルデータ）を、衛星ダウンリンクを介して受信した信号から分離またはデジタル的に同調させる。デジタルチャネライザスイッチは、少なくとも１つのデジタルチャネライザを含むことができ、マルチプレクサと併用されると、デジタル化された中間周波数信号からのコンテンツの選択を可能にする。デジタルチャネライザスイッチは、汎用ＬＮＢアーキテクチャまたは単一ケーブルＬＮＢアーキテクチャを含む種々のＬＮＢアーキテクチャにおいて利用することができる。本発明の多くの実施形態による、複数のＧＨｚにおいてサンプリングし、従来のＲＦミキサベースのチューナよりも少ない電力を消耗し得るＬＮＢは、Ｍｏｂｉｕｓ  Ｓｅｍｉｃｏｎｄｕｃｔｏｒ  Ｉｎｃ．（Ｉｒｖｉｎｅ，Ｃａｌｉｆｏｒｎｉａ）によって開発されたＡＤＣおよびＤＡＣ等のアナログ／デジタルコンバータ（ＡＤＣ）およびデジタル／アナログコンバータ（ＤＡＣ）を利用することができる。ダウン変換された衛星帯域信号は、一般的には、９５０〜２１５０ＭＨｚであり得る。サンプルレートは、最大周波数の少なくとも２倍である必要がある。したがって、ある実施形態は、最大サンプルレート６ＧＨｚを有するＭｏｂｉｕｓ  Ｓｅｍｉｃｏｎｄｕｃｔｏｒ  Ｉｎｃ．によって開発されたＡＤＣまたはＤＡＣを使用する。
【００３２】
高周波数の低電力アナログ／デジタルコンバータを利用して、Ｌ帯域信号をデジタル化する、いくつかの実施形態では、変調されたデジタルデータをデジタル化された信号から選択するためのデジタルチャネライザと、アナログ出力信号を生成するためのデジタル／アナログコンバータが、ＬＮＢの電力消費およびコンポーネントコストを有意に削減することができる。加えて、コンテンツチャネルスイッチングは、デジタル回路の使用に起因して、整定時間を伴わずに瞬時に行われ得る。さらに、デジタルコンポーネントの使用は、容易にスケーラブルであるＬＮＢアーキテクチャをもたらし、同軸ケーブルを介して、デコーダデバイスによって給電される単一ケーブルＬＮＢの構築を可能にすることができ、用途の要件によってのみ制約される出力信号上にいくつかのコンテンツチャネルをミックスすることができる（例えば、単一Ｌ帯域出力信号上への２４のコンテンツチャネルの変調されたデジタルデータのミックス）。このように、ＬＮＢは、本発明の実施形態に従って構築され、アナログコンポーネントの使用によって課され得る電力およびコスト制約を克服することができる。ＬＮＢおよび高速低電力アナログ／デジタルコンバータの使用、ならびに本発明の実施形態によるデジタルチャネライザは、以下にさらに論じられる。
【００３３】
（デジタルチャネライザスイッチを有する一般的ＬＮＢアーキテクチ）
デジタルチャネライザスイッチは、汎用ＬＮＢまたは単一ケーブルＬＮＢ等の一般に使用されるアーキテクチャを含む、種々のＬＮＢアーキテクチャのいずれかに統合することができる。本発明のある実施形態による、デジタルチャネライザスイッチを含む、一般的ＬＮＢアーキテクチャは、図５に図示される。多くの実施形態では、ＬＮＢは、衛星から、２つのＲＦ入力信号５０２を受信する。一方の信号は、垂直偏波アンテナ用であって、他方は、水平偏波アンテナ用である。例えば、両信号の周波数帯域は、１０．７〜１２．７５ＧＨｚであり得る。他の実施形態では、信号の周波数帯域は、Ｃ帯域（４〜６ＧＨｚ）、Ｘ帯域（８ＧＨｚ）、Ｋａ帯域（２０〜３０ＧＨｚ）、および／または特定の用途に適切な任意の他の帯域である。ＲＦ入力信号は、２つの増幅器５０８に接続される。２つの増幅器はそれぞれ、異なるミキサ５１０に接続される。両ミキサ５１０は、ＬＯ５１２と接続される。図示される実施形態では、両周波数帯域は、１０．５ＧＨｚにおいて、ＬＯによってダウンミックスされる。他の実施形態では、用途の要件に適切な別のＬＯを利用することができる。各ミキサ５１０はまた、異なるＡＤＣ５０４に接続される。各ダウン変換される信号は、サンプル周波数６ＧＨｚで、ＡＤＣ５０４によってサンプリングされる。両ＡＤＣ５０４は、デジタルチャネライザスイッチ５０６に接続される。デジタルチャネライザスイッチ５０６は、デジタル／アナログコンバータ（ＤＡＣ）５０８に接続される。ＤＡＣ５０８は、増幅器５１４に接続される。衛星信号内の所望のコンテンツチャネルは、デジタルチャネライザスイッチ５０６によって選択され、６ＧＨｚでサンプリングされる高速ＤＡＣ５０８によって、Ｌ帯域信号に変換される。本実施例では、デジタルチャネライザ５０６によって選択される、４つまたは６つの出力周波数あるいはコンテンツチャネルが存在してもよい。しかしながら、出力周波数およびコンテンツチャネルの数は、随意であることができる。特定の構成が、図５に図示されるが、ＬＮＢによって受信した信号の特性に適切な種々のアーキテクチャのいずれかを利用することができる。
【００３４】
（汎用ＬＮＢアーキテクチャ）
本発明の多くの実施形態による、デジタルチャネライザスイッチは、汎用ＬＮＢ中に統合されてもよい。本発明のある実施形態による、ＡＤＣベースのデジタルチャネライザスイッチを含む汎用ＬＮＢは、図６に図示されている。図示される汎用ＬＮＢアーキテクチャにおいて、垂直アンテナ６０２用の入力および水平アンテナ６０４用の入力はそれぞれ、異なるＲＦ増幅器６１２に接続される。ＲＦ増幅器６１２はそれぞれ、異なる画像バンドパスフィルタ（ＢＰＦ）６１４に接続される。各バンドパスフィルタ６１４は、異なるミキサ６１６に接続される。各ミキサ６１６は、コモンＬＯ６１８に関連付けられる。各ミキサ６１６は、異なる低雑音増幅器（ＬＮＡ）６２２への個別の入力を介して、デジタルチャネライザスイッチ６２０に接続される。各ＬＮＡ６２２は、異なるアナログ／デジタルコンバータ（ＡＤＣ）６０６に接続される。各ＡＤＣ６０６は、コモンマルチプレクサまたはマルチプレクサセレクタ（Ｍｕｘ  Ｓｅｌ）６２４に接続される。議論の容易性のために、マルチプレクサおよびマルチプレクサセレクタという用語は、同じ意味で使用される。Ｍｕｘ  Ｓｅｌ６２４は、２つの異なるデジタルチャネライザ６２６に接続される。各チャネライザ６２６は、異なるＤＡＣ６１０に接続される。各ＤＡＣ６１０は、異なるＩＦ増幅器６３０に接続される。各ＩＦ増幅器６３０は、異なる出力６３２に接続される。
【００３５】
多くの実施形態では、ＬＮＢは、衛星から２つのＲＦ入力信号を受信する。一方の信号は、垂直偏波アンテナ６０２用であり、他方は、水平偏波アンテナ６０４用である。例えば、両信号の周波数帯域は、１０．７〜１２．７５ＧＨｚであり得る。両周波数帯域は、１０．５ＧＨｚにおいて、１つのミキサによって０．２〜２．２５ＧＨｚにダウンミックスされる。各ダウン変換された信号は、サンプル周波数６ＧＨｚで、ＡＤＣ６０６によってサンプリングされる。出力周波数帯域のための所望のコンテンツチャネルは、チャネライザ６２６の使用を介してデジタル回路６０８によって選択され、６ＧＨｚでサンプリングされる高速ＤＡＣ６１０によってＬ帯域信号に変換される。この図示される実施形態は、２つの出力を採用するが、本発明の実施形態では、対応するチャネライザを追加し、所望の数の出力をサーブすることによって、任意の数の出力を達成することができる。
【００３６】
２つのダウン変換された衛星信号からの２つのＬ帯域出力の生成が、図６に示されるが、本発明の実施形態による、ＡＤＣベースのチャネライザスイッチを利用して、２つのＩＦ入力信号からの４つのＬ帯域出力信号の生成、４つのＩＦ入力信号からの２つのＬ帯域出力信号の生成、４つのＩＦ入力信号からの４つのＬ帯域出力信号の選択、および４つのＩＦ入力信号からの８つのＬ帯域出力信号の選択を含むが、それらに限定されない任意の数のＩＦ入力信号から、任意の数のＬ帯域出力信号を生成することができる。
【００３７】
多くの実施形態では、デジタル回路６０８は、従来のＬＮＢアーキテクチャにおけるアナログ回路によって行われる機能の代わりをする。例えば、ＲＦミキサ、局部発振器、およびバンドパスフィルタ等のアナログ回路の数は、図３に示される同等のアナログ回路と比較して減少させられる。アナログコンポーネントとデジタルコンポーネントとの置換は、電力およびコストの節約をもたらすことができる。アナログＲＦスイッチング回路はまた、異なる入力の間でスイッチングするとき、整定時間を有し得る。本発明のある実施形態による、同等のデジタル実装は、約１クロックサイクルのスイッチング時間を有し得、これは、ナノ秒範囲内であり得る。高速スイッチング時間は、よりシームレスなユーザ経験をもたらすことができる。
【００３８】
（単一チャネルＬＮＢアーキテクチャ）
本発明の多くの実施形態による、デジタルチャネライザスイッチは、単一チャネルＬＮＢに統合されてもよい。本発明のある実施形態による、デジタルチャネライザスイッチを含む単一ケーブルＬＮＢが、図７に図示されている。多くの実施形態では、垂直アンテナ７０２用の入力および水平アンテナ７０４用の入力はそれぞれ、異なるＲＦ増幅器７１２に接続される。ＲＦ増幅器７１２はそれぞれ、異なる画像バンドパスフィルタ（ＢＰＦ）７１４に接続される。各バンドパスフィルタ７１４は、異なるミキサ７１６に接続される。各ミキサ７１６は、共通のＬＯ７１８に関連付けられる。各ミキサ７１６は、異なる低雑音増幅器（ＬＮＡ）７２２への個別の入力を介して、チャネライザスイッチ７２０に接続される。各ＬＮＡ７２２は、異なるアナログ／デジタルコンバータ（ＡＤＣ）７０６に接続される。各ＡＤＣ７０６は、コモンマルチプレクサセレクタ（Ｍｕｘ  Ｓｅｌ）７２４に接続される。Ｍｕｘ  Ｓｅｌ７２４は、４つの異なるチャネライザ７０８に接続される。各チャネライザ７０８は、単一コモンコンバイナ７２６に接続される。ある実施形態では、コモンコンバイナは、チャネライザ出力をすべて加算するデジタル加算器（加算器）である。コモンコンバイナ７２６は、ＤＡＣ７１０に接続される。ＤＡＣは、ＩＦ増幅器７２８に接続され、ＩＦ増幅器７２８は、出力７３０に接続される。
【００３９】
本発明の実施形態では、ＬＮＢは、図３に関連して前述の信号と同様に、衛星から、２つのＲＦ入力信号を受信する。一方は、垂直偏波アンテナ７０２用であって、他方は、水平偏波アンテナ７０４用である。多くのシステムでは、両信号の周波数帯域は、１０．７〜１２．７５ＧＨｚであり得る。両周波数帯域は、１０．５ＧＨｚにおいて、１つのミキサによって、０．２〜２．２５ＧＨｚにダウンミックスされる。各ダウン変換された信号は、サンプル周波数６ＧＨｚで、ＡＤＣ７０６によってサンプリングされる。所望のコンテンツチャネルは、デジタルチャネライザ７０８によって、デジタル的に同調され、６ＧＨｚでサンプリングされる高速ＤＡＣ７１０によって、Ｌ帯域信号に変換される。
【００４０】
本発明の多くの実施形態による、デジタルチャネライザスイッチを利用可能な単一ケーブルＬＮＢアーキテクチャは、任意の数のチャネライザを利用して、任意の数のコンテンツチャネルの出力を可能にする。本発明のある実施形態による、１２のデジタルチャネライザ８０８を有するデジタルチャネライザスイッチを含む、単一ケーブルＬＮＢが、図８に図示されている。多くの実施形態では、垂直アンテナ８０２用の入力および水平アンテナ８０４用の入力はそれぞれ、異なるＲＦ増幅器８１２に接続される。ＲＦ増幅器８１２はそれぞれ、異なる画像バンドパスフィルタ（ＢＰＦ）８１４に接続される。各バンドパスフィルタ８１４は、異なるミキサ８１６に接続される。各ミキサ８１６は、コモンＬＯ８１８に関連付けられる。各ミキサ８１６は、異なる低雑音増幅器（ＬＮＡ）８２２への個別の入力を介して、チャネライザスイッチ８２０に接続される。各ＬＮＡ８２２は、異なるアナログ／デジタルコンバータ（ＡＤＣ）８０６に接続される。各ＡＤＣ８０６は、コモンマルチプレクサセレクタ（Ｍｕｘ  Ｓｅｌ）８２４に接続される。Ｍｕｘ  Ｓｅｌ８２４は、１２の異なるチャネライザ８０８に接続される。各チャネライザ８０８は、単一コモンコンバイナ８２６に接続される。コモンコンバイナ８２６は、ＤＡＣ８１０に接続される。ＤＡＣ８１０は、ＩＦ増幅器８２８に接続される。ＩＦ増幅器８２８は、出力８３０に接続される。
【００４１】
本発明の実施形態では、図７と同様に、デジタルチャネライザは、所望のコンテンツチャネルを選択するために使用され、次いで、デジタル／アナログコンバータを使用して、選択されたチャネルのそれぞれを含むアナログＬ帯域信号に変換され、衛星受信機／デコーダによって受信されることができる。しかしながら、ここでは、４つではなく、１２のチャネライザ８０８が存在し、したがって、１２のコンテンツチャネルは、衛星信号から選択され、デジタル／アナログコンバータを使用して、選択されたチャネルのそれぞれを含むアナログＬ帯域信号に変換され、衛星受信機／デコーダによって受信されてもよい。１２のチャネライザ８０８が、図８に図示されるが、本発明の実施形態による、特定の用途に対する必要に応じて、任意の数のチャネライザを利用することができる。
【００４２】
多くの実施形態では、デジタルチャネライザの使用は、従来の単一ケーブルＬＮＢ実装と比較して、単一ケーブルＬＮＢアーキテクチャのスケーラビリティを向上させることができる。本発明の実施形態による、ＬＮＢは、任意の数のコンテンツチャネルの出力に、付加的デジタルチャネライザの追加を提供することができる。従来の実装は、一般的には、コンテンツチャネル出力毎に、付加的チューナおよびＳＡＷフィルタを利用する。また、デジタルチャネライザを有する実施形態は、アナログフィルタロールオフによってアナログＬＮＢに課される制限と、狭帯域フィルタをデジタル回路内に実装することができるという事実のため、全アナログＬＮＢにおけるよりも互いに密接した出力のためのコンテンツチャネルをパックすることができる。
【００４３】
（複数の出力を有する複数のＲＦ入力）
本発明の多くの実施形態による、デジタルチャネライザスイッチは、複数のＲＦ入力および複数の出力を要求する状況において実装することができる。本発明のある実施形態における、複数のＲＦ入力を有するデジタルチャネライザスイッチが、図９に図示されている。多くの実施形態では、ＲＦ入力９０２はそれぞれ、異なるＬＮＡ９０８に接続される。各ＬＮＡ９０８は、異なるＡＤＣ９１０に接続される。各ＡＤＣ９１０は、コモンＭｕｘ  Ｓｅｌ９１２に接続される。Ｍｕｘ  Ｓｅｌ９１２は、２４の異なるデジタルチャネライザ９０６に接続される。各チャネライザ９０６は、単一コモンコンバイナ９１４に接続される。第１のチャネライザ９１６はまた、マルチプレクサ（ｍｕｘ）９１８に接続される。第２から第８のチャネライザはまた、異なるＤＡＣ９２２に接続される。単一コモンチャネル９１４は、ｍｕｘ９１８に接続される。ｍｕｘ９１８は、別の異なるＤＡＣ９２２に接続される。全てのＤＡＣ９２２は、デジタル衛星機器制御（ＤｉｓｅｑＣ  Ｉｎｔｅｒｆａｃｅ）９２４に接続される。全てのＤＡＣ９２２はまた、異なる出力９０４に接続される。ＤｉｓｅｑＣ  Ｉｎｔｅｒｆａｃｅ  ９２４は、マイクロコントローラ（ｕＣｏｎｔｒｏｌｌｅｒ）９２６に接続される。マイクロコントローラ９２６は、チャネライザスイッチの外側の要素に接続されてもよい。マイクロコントローラは、単一ワイヤマルチスイッチ（ＳＷＭ）制御インターフェースまたは衛星マスタアンテナＴＶ（ＳＭＡＴＶ）制御インターフェース９２８に接続される。ＳＷＭ／ＳＭＡＴＶ９２８制御インターフェースは、ＤＡＣ９２２または出力９０４またはＤｉｓｅｑＣ  Ｉｎｔｅｒｆａｃｅ  ９２４に接続されてもよい。
【００４４】
多くの実施形態では、デジタルチャネライザスイッチは、５つのＲＦ入力９０２および８つのＩＦ出力を含む。また、任意の単一ＩＦ出力上の出力のために、最大２４のコンテンツチャネルをデジタル的に同調させることができる２４のチャネライザ９０６が存在する。本実施形態では、５つの入力が存在するが、本発明の実施形態による特定の用途への必要に応じて、任意の数の入力を利用することができる。同様に、本実施形態では、８つの出力が存在するが、本発明の実施形態による特定の用途への必要に応じて、任意の数の出力を利用することができる。
【００４５】
本発明の多くの実施形態による、デジタルチャネライザスイッチは、複数のＲＦ信号から変換された複数のＩＦ信号の処理を含む種々のＬＮＢアーキテクチャにおいて利用することができる。本発明のある実施形態による、ＡＤＣベースのチャネライザスイッチおよび複数の衛星ＲＦ入力を含むＬＮＢが、図１０に図示されている。多くの実施形態では、異なる偏波および周波数帯域を有する５つの衛星から、１４の入力１００２が、異なるＲＦ増幅器１０１２に接続される。各ＲＦ増幅器１０１２は、異なるバンドパスフィルタ１０１０に接続される。各バンドパスフィルタ１０１０は、異なるミキサ１００８に接続される。各ミキサ１００８はまた、対応するＬＯ１０１４に接続されてもよい。ある数のミキサ１００８は、異なるチャネル１０１６とコンバインされてもよい。各チャネル１０１６は、異なるＬＮＡ１０２０を介して、チャネライザスイッチ１０１８に接続される。各ＬＮＡ１０２０は、異なるＡＤＣ１０２２に接続される。各ＡＤＣ１０２２は、コモンＭｕｘ  Ｓｅｌ１０２４に接続される。Ｍｕｘ  Ｓｅｌ１０２４は、２４の異なるチャネライザ１００６に接続される。各チャネライザ１００６は、チャネライザスイッチ１０１８内の単一コンバイナ１０２６に接続される。チャネライザスイッチ１０１８内のコンバイナ１０２６は、ＤＡＣ１０２８に接続される。ＤＡＣ１０２８は、ＩＦ増幅器１０３０に接続される。ＩＦ増幅器１０３０は、出力１００４に接続される。
【００４６】
多くの実施形態では、異なる偏波および周波数帯域を有する５つの衛星から、１４の入力１００２が、ＬＮＢによって受信される。また、２４のチャネライザ１００６によって、デジタル的に同調される最大２４のコンテンツチャネルを有する１つのＩＦ出力１００４が存在する。本実施形態の側面は、ＤｉｒｅｃＴＶ（Ｅｌ  Ｓｅｇｕｎｄｏ，ＣＡ）の単一ワイヤマルチスイッチ技術と互換性がある。５つの衛星からの１４の入力が、図示される実施形態において、特徴とされているが、本発明の実施形態による特定の用途に対する必要に応じて、任意の数の衛星からの任意の数の入力を利用することができる。加えて、デジタルチャネライザを使用してデジタル的に同調されるコンテンツチャネルの数は、特定の用途の要件によって決定することができる。
【００４７】
１４の衛星ＲＦ入力１００２は、１２．２〜１２．７ＧＨｚにおけるＫｕ帯域、１８．３〜１８．８ＧＨｚにおけるＫａ帯域ｌｏ、および１９．７〜２０．２ＧＨｚにおけるＫａ帯域ｈｉ等、異なる偏波および周波数帯域を有する信号を受信することができる。これらの衛星信号は、最初に、各ＲＦ入力信号に対してバンドパスフィルタ１０１０によってフィルタリングされ、ミキサ１００８によってダウン変換され、例えば、Ｋｕ帯域は、１１．２５ＧＨｚにおいて、ＬＯを使用してもよく、Ｋａ帯域は、１８．０５ＧＨｚにおいて、ＬＯを使用してもよい。Ｋｕ帯域については、ダウン変換された周波数帯域は、９５０〜１４５０Ｍｈｚであり得る。Ｋａ帯域ｌｏについては、ダウン変換された信号は、２５０〜７５０ＭＨｚであり得る。Ｋａ帯域ｈｉについては、ダウン変換された信号は、１６５０〜２１５０ＭＨｚであり得る。３つのダウン変換された信号は、次いで、加算器によってコンバインされ、２５０〜２１５０ＭＨｚにおける信号を発生させる。加算器からのそのコンバインされた信号は、チャネライザスイッチによって受信され、６ＧＳ／秒において、ＡＤＣによってサンプリングされる。
【００４８】
（単一ＲＦ入力を有するデジタルチャネライザスイッチ）
本発明の多くの実施形態による、デジタルチャネライザスイッチは、ＲＦ入力からの任意の数のチャネルのデジタル選択のために、単一ＲＦ入力を利用することができる。本発明のある実施形態による、チャネライザスイッチが、図１１に図示されている。多くの実施形態では、ＲＦ入力１１１０は、ＬＮＡ１１１２に接続される。ＬＮＡ１１１２は、ＡＤＣ１１１４に接続される。ＡＤＣ１１１４は、デマルチプレクサ（ｄｅｍｕｘ）１１１６に接続される。ｄｅｍｕｘ１１１６は、多相フィルタ１１１８に接続される。各多相フィルタ１１１８は、１つのＮ点ＦＦＴ１１０２の入力に接続される。Ｎ点ＦＦＴ１１０２は、２つのマルチプレクサまたはマルチプレクサセレクタ（Ｍｕｘ  Ｓｅｌ）１１０４に接続される。各Ｍｕｘ  Ｓｅｌ１１０４は、異なるミキサ１１２０に接続される。各ミキサ１１２０はまた、異なるＮ段デシメーション１１０８に沿って、異なるダイレクトデジタル周波数シンセサイザ（ＤＤＦＳ）１１０６に接続される。各Ｎ段デシメーション１１０８は、ローパスフィルタフィルタ（ＬＰＦ）１１２２に接続される。各ＬＰＦ１１２２は、２つずつのダウンサンプリングのために、デシメータ１１２４に接続される。各デシメータ１１２４は、異なる可変利得増幅器（ＶＧＡ）１１２６に接続される。各ＶＧＡ１１２６は、別個のチャネル出力１１２８に接続される。両ＶＧＡ１１２６および両チャネル出力１１２８は、自動利得制御（ＡＧＣ）１１３０によって制御される。
【００４９】
多くの実施形態では、高速フーリエ変換（ＦＦＴ）ベースのチャネライザ１１０２が、粗い周波数同調のために使用される。例えば、出力は、２．７ＧＨｚ／Ｍにおいて、Ｎ＿ｆｆｔ／２重複チャネルであり得る（すなわち、図１１におけるＭは、Ｎ＿ｆｆｔ／４であるように選ばれる）。Ｎ＿ｆｆｔに対して、２つの選択肢：３２および６４が存在し得る。多相フィルタが、フィルタバンクのより優れた通過帯域および阻止帯域のために使用されてもよい。多相フィルタ設計の一実施例は、Ｃｈｅｂｙｓｈｅｖ窓である。窓長は、単純実装に対しては、Ｎ＿ｆｆｔに等しくてもよい。他の実施形態では、いくつかの異なるフィルタのいずれかをチャネルのバンドパスフィルタリングにおいて利用することができる。実数入力を前提とすると、ＦＦＴ出力の半分のみが必要とされる。ＦＦＴチャネライザ１１０２は、マルチプレクサセレクタ（Ｍｕｘ  Ｓｅｌ）１１０４に出力する。例えば、各所望のチャネルに対して、Ｎ＿ｆｆｔ／２チャネライザ出力を選択するために、３２のｍｕｘが存在してもよい。また、各コンテンツチャネルに対して、ダイレクトデジタル周波数シンセサイザ（ＤＤＦＳ）１１０６ベースの精密周波数同調が存在してもよく、各精密周波数同調ブロックは、１つの複素演算器と、２．７ＧＨｚ／Ｍにおいて起動する１つのＤＤＦＳとを含む。図示される実施形態はまた、デシメーションフィルタ１１０８および隣接チャネルインタフェース（ＡＣＩ）阻止フィルタを特徴とする。サンプルレートを１０．５４７ＭＨｚに減少させるために、２つのフィルタによる複数の段階のデシメーションが存在し得る。また、この設計において使用される２つのフィルタによる３つのタイプのデシメーションが存在し得る。また、４つの固定係数フィルタが、ＡＣＩ阻止のために使用されてもよい。例えば、１／２帯域（８ＭＨｚチャネルに対するデフォルト）、２／５帯域、１／３帯域（６ＭＨｚチャネルに対するデフォルト）、および１／４帯域である。最後に、本実施形態は、可変利得段および自動利得制御（ＡＧＣ）を特徴とし、可変利得は、出力段にあってもよく、単一ＡＧＣ処理ユニットが全３２チャネルの出力利得制御のために使用される。
【００５０】
したがって、図１１に図示されるチャネライザスイッチは、ＲＦ入力１１１０をとり、コンテンツデコーディングのために、ＲＦ入力１１１０からの衛星信号内のいくつかのコンテンツチャネルを選択することが可能である。チャネライザスイッチの特定の実施形態が、図１１に図示されているが、種々のデジタル信号処理回路のいずれかを利用して、本発明の実施形態に従って、デジタル化された衛星信号内の１つ以上のコンテンツチャネルをデジタル的に選択することができる。
【００５１】
本発明は、ある特定の実施形態において説明されたが、多くの付加的な修正および変形例が、当業者には明白となるであろう。したがって、本発明は、本発明の範囲および精神から逸脱することなく、サイズ、形状、および材料の種々の変更を含め、具体的に説明されるものと別様に実践されてもよいことを理解されたい。したがって、本発明の実施形態は、あらゆる点において、限定ではなく、例示と見なされるべきである。
【図１】
2014507885.tif 000003
【図２】
2014507885.tif 000004
【図３】
2014507885.tif 000005
【図４】
2014507885.tif 000006
【図５】
2014507885.tif 000007
【図６】
2014507885.tif 000008
【図７】
2014507885.tif 000009
【図８】
2014507885.tif 000010
【図９】
2014507885.tif 000011
【図１０】
2014507885.tif 000012
【図１１】
2014507885.tif 000013
【国際調査報告】
2014507885.tif 000014